(57)【要約】【課題】タンパク質又はペプチドのアミノ酸配列決定試薬として有用な新規なイソチオシアネート基を有する金属錯体、及びそれを用いるタンパク質又はペプチドのアミノ酸配列決定方法を提供する。【解決手段】イソチオシアネート基を有する金属錯体。例えば、一般式（Ｉ）：（Ｌ２　）ｍ　Ｍ（Ｌ１　）　　　　（Ｉ）〔式中、Ｍは遷移金属を表し、Ｌ１　は置換基：−ＮＣＳ基又は−Ｒ−ＮＣＳ基（ここで、Ｒはアリーレン基又はアルキレン基を表す。）を有する配位子を表し、Ｌ２　は配位子を表し、ｍはＬ２　の数であり０、１、２、３、４又は５を表す。〕で示される金属錯体。イソチオシアネート基を有する金属錯体を用いて、タンパク質又はペプチドのアミノ酸配列を決定する方法。【選択図】　　図１
2004043388.tif 000002
【特許請求の範囲】
【請求項１】
イソチオシアネート基を有する金属錯体。
【請求項２】
イソチオシアネート基を有する配位子を有する、請求項１に記載の金属錯体。
【請求項３】
イソチオシアネートフェニル基を有する配位子を有する、請求項１又は２に記載の金属錯体。
【請求項４】
金属錯体の金属元素は、遷移金属及び典型金属から選ばれる、請求項１〜３のうちのいずれか１項に記載の金属錯体。
【請求項５】
金属錯体の配位数は、２、３、４、５又は６である、請求項１〜４のうちのいずれか１項に記載の金属錯体。
【請求項６】
金属錯体の配位子は、単座配位子又は多座配位子である、請求項１〜５のうちのいずれか１項に記載の金属錯体。
【請求項７】
下記一般式（Ｉ）：
（Ｌ２　）ｍ　Ｍ（Ｌ１　）　　　　（Ｉ）
〔式中、Ｍは遷移金属を表し、Ｌ１　は置換基：−ＮＣＳ基又は−Ｒ−ＮＣＳ基（ここで、Ｒはアリーレン基又はアルキレン基を表す。）を有する配位子を表し、Ｌ２　は配位子を表し、ｍはＬ２　の数であり０、１、２、３、４又は５を表す。〕で示される、請求項１〜６のうちのいずれか１項に記載の金属錯体。
【請求項８】
下記一般式（ＩＩ）：
【化１】
2004043388.tif 000005
（式中、Ｍは遷移金属を表す。）
で示される、請求項１〜７のうちのいずれか１項に記載の金属錯体。
【請求項９】
請求項１〜８のうちのいずれか１項に記載の金属錯体を含む、タンパク質又はペプチドのアミノ酸配列決定試薬。
【請求項１０】
請求項１〜８のうちのいずれか１項に記載の金属錯体を用いて、タンパク質又はペプチドのアミノ酸配列を決定する方法。
【請求項１１】
（１）　請求項１〜８のうちのいずれか１項に記載の金属錯体をアミノ酸配列を決定すべきタンパク質又はペプチド（Ａ）と反応させ、金属錯体のイソチオシアネート基とタンパク質又はペプチド（Ａ）のＮ末端アミノ基とがカップリングした金属錯体チオカルバモイル誘導体を得て、
（２）　金属錯体チオカルバモイル誘導体に弱酸を作用させ、末端のペプチド結合を選択的に切断して、Ｎ末端アミノ酸の２−（金属錯体アミノ）−５−チアゾリノン誘導体と、Ｎ末端アミノ酸がとれたタンパク質又はペプチド（Ｂ）とを生成させ、これら両生成物を分離し、
（３）　Ｎ末端アミノ酸の２−（金属錯体アミノ）−５−チアゾリノン誘導体に酸を作用させ、Ｎ末端アミノ酸の３−（金属錯体）チオヒダントイン誘導体に変換し、この３−（金属錯体）チオヒダントイン誘導体からＮ末端アミノ酸を同定し、次に、
（４）　前記（２）　工程で生成したタンパク質又はペプチド（Ｂ）について、（１）　〜（３）　の工程を繰り返し、タンパク質又はペプチド（Ｂ）のＮ末端アミノ酸を同定し、さらに、
（５）　以上の操作を順次行い、Ｎ末端からタンパク質又はペプチドのアミノ酸配列を決定する方法。
【請求項１２】
質量分析法により、３−（金属錯体）チオヒダントイン誘導体からＮ末端アミノ酸を同定する、請求項１１に記載のタンパク質又はペプチドのアミノ酸配列を決定する方法。
【発明の詳細な説明】
【０００１】
【発明の属する技術分野】
本発明は、タンパク質又はペプチドのアミノ酸配列決定試薬として有用な新規なイソチオシアネート基を有する金属錯体、及びそれを用いるタンパク質又はペプチドのアミノ酸配列決定方法に関する。
【０００２】
【従来の技術】
タンパク質のＮ末端からのアミノ酸配列決定法として、フェニルイソチオシアネート（ＰＩＴＣ）でタンパク質のＮ末端アミノ酸を標識し、Ｎ末端アミノ酸を２−アニリノ−５−チアゾリノン誘導体として脱離させ、これを３−フェニルチオヒダントイン誘導体（ＰＴＨアミノ酸）に変換し、この最終生成物である３−フェニルチオヒダントイン誘導体を高速液体クロマトグラフィー（ＨＰＬＣ）によって分析してアミノ酸を同定する各工程を有するエドマン法が一般的に行われている。ＨＰＬＣによるアミノ酸のフェニルチオヒダントイン誘導体の分析は、通常２６９ｎｍのＵＶ吸収を用いて行われるが、その吸光係数が小さく検出感度は低い。
【０００３】
また、エドマン法の改良法として、ＰＩＴＣの代わりにフルオレセインイソチオシアネートなどの蛍光物質を用いて、タンパク質のＮ末端アミノ酸を標識し、タンパク質のＮ末端からのアミノ酸配列を決定する方法も報告されている。しかし、この方法においても、蛍光物質による標識後に得られる最終生成物の蛍光強度が小さく検出感度が低いという問題や、最終生成物の安定性が低いという問題がある。
【０００４】
【発明が解決しようとする課題】
このように、エドマン型のタンパク質のＮ末端からのアミノ酸配列決定法方法において、分析すべき最終生成物が安定で且つ高い検出感度が得られる方法の開発が望まれる。
【０００５】
本発明の目的は、タンパク質又はペプチドのアミノ酸配列決定試薬として有用な新規イソチオシアネート基を有する金属錯体を提供することにある。また、本発明の目的は、新規なイソチオシアネート基を有する金属錯体を含むタンパク質又はペプチドのアミノ酸配列決定試薬を提供することにある。さらに、本発明の目的は、新規なイソチオシアネート基を有する金属錯体を用いるタンパク質又はペプチドのアミノ酸配列決定方法を提供することにある。
【０００６】
【課題を解決するための手段】
本発明者らは、鋭意検討した結果、アミノ酸配列決定試薬としてイソチオシアネート基を有する金属錯体を用いてエドマン型反応を行い、その最終生成物を質量分析装置により分析することにより、高感度で安定な分析が行い得ることを見いだし、本発明に到達した。
【０００７】
本発明は、イソチオシアネート基を有する金属錯体である。
本発明は、イソチオシアネート基を有する配位子を有する、前記の金属錯体である。
本発明は、イソチオシアネートフェニル基を有する配位子を有する、前記の金属錯体である。
【０００８】
本発明は、金属錯体の金属元素は、遷移金属及び典型金属から選ばれる、前記の金属錯体である。
本発明は、金属錯体の配位数は、２、３、４、５又は６である、前記の金属錯体である。
本発明は、金属錯体の配位子は、単座配位子又は多座配位子である、前記の金属錯体である。
【０００９】
本発明は、下記一般式（Ｉ）：
（Ｌ２　）ｍ　Ｍ（Ｌ１　）　　　　（Ｉ）
〔式中、Ｍは遷移金属を表し、Ｌ１　は置換基：−ＮＣＳ基又は−Ｒ−ＮＣＳ基（ここで、Ｒはアリーレン基又はアルキレン基を表す。）を有する配位子を表し、Ｌ２　は配位子を表し、ｍはＬ２　の数であり０、１、２、３、４又は５を表す。〕で示される、前記の金属錯体である。
【００１０】
本発明は、下記一般式（ＩＩ）：
【化２】
2004043388.tif 000003
（式中、Ｍは遷移金属を表す。）
で示される、前記の金属錯体である。
【００１１】
また、本発明は、前記いずれかの金属錯体を含む、タンパク質又はペプチドのアミノ酸配列決定試薬である。
【００１２】
さらに、本発明は、前記いずれかの金属錯体を用いて、タンパク質又はペプチドのアミノ酸配列を決定する方法である。
【００１３】
本発明は、（１）　前記いずれかの金属錯体をアミノ酸配列を決定すべきタンパク質又はペプチド（Ａ）と反応させ、金属錯体のイソチオシアネート基とタンパク質又はペプチド（Ａ）のＮ末端アミノ基とがカップリングした金属錯体チオカルバモイル誘導体を得て、
（２）　金属錯体チオカルバモイル誘導体に弱酸を作用させ、末端のペプチド結合を選択的に切断して、Ｎ末端アミノ酸の２−（金属錯体アミノ）−５−チアゾリノン誘導体と、Ｎ末端アミノ酸がとれたタンパク質又はペプチド（Ｂ）とを生成させ、これら両生成物を分離し、
（３）　Ｎ末端アミノ酸の２−（金属錯体アミノ）−５−チアゾリノン誘導体に酸を作用させ、Ｎ末端アミノ酸の３−（金属錯体）チオヒダントイン誘導体に変換し、この３−（金属錯体）チオヒダントイン誘導体からＮ末端アミノ酸を同定し、次に、
（４）　前記（２）　工程で生成したタンパク質又はペプチド（Ｂ）について、（１）　〜（３）　の工程を繰り返し、タンパク質又はペプチド（Ｂ）のＮ末端アミノ酸を同定し、さらに、
（５）　以上の操作を順次行い、Ｎ末端からタンパク質又はペプチドのアミノ酸配列を決定する方法である。
【００１４】
本発明は、質量分析法により、３−（金属錯体）チオヒダントイン誘導体からＮ末端アミノ酸を同定する、前記のタンパク質又はペプチドのアミノ酸配列を決定する方法である。
【００１５】
【発明の実施の形態】
本発明は、錯体１分子中に１つのイソチオシアネート基を有する金属錯体である。通常は、イソチオシアネート基は金属錯体の配位子中に含まれる。例えば、イソチオシアネート基は、イソチオシアネートフェニル基や、イソチオシアネート低級アルキル基として金属錯体の配位子中に含まれる。
【００１６】
金属錯体の金属元素は遷移金属及び典型金属の中から選ばれる。遷移金属としては、例えば、Ｓｃ、Ｔｉ、Ｖ、Ｃｒ、Ｍｎ、Ｆｅ、Ｃｏ、Ｎｉ、Ｃｕ、Ｚｒ、Ｎｂ、Ｍｏ、Ｔｃ、Ｒｕ、Ｒｈ、Ｐｄ、Ａｇ、Ｔａ、Ｗ、Ｏｓ、Ｉｒ、Ｐｔ、Ａｕ等が挙げられる。典型金属としては、例えば、Ｚｎ、Ａｌ、Ａｓ、Ｓｉ、Ｐ等が挙げられる。これらのうち、好ましい金属としては、Ｒｕ、Ｃｒ、Ｆｅ、Ｃｏ、Ｎｉ、Ｃｕ、Ｒｈ、Ｐｄ、Ｏｓ、Ｉｒ、Ｐｔ等が挙げられる。
【００１７】
金属錯体の配位数は、２、３、４、５又は６のいずれでもよいが、錯体の安定性の観点から、配位数６が好ましい。
【００１８】
また、金属錯体の配位子は、単座配位子又は多座配位子のいずれでもよい。単座配位子としては、アミン（イミダゾール等の環状アミンを含む）、ピリジン、カルボン酸などのオキソ配位子、ハロゲン等が挙げられる。多座配位子のうち、二座配位子としては、ビピリジン、シッフ塩基、フェナントリン、オルトベンゾキノン誘導体、核酸塩基等が挙げられる。三座配位子としては、ジエチレントリアミン、ターピリジン、シッフ塩基、トリアザシクロアルカン、テトラキス（２’−アミノエチル）−１，２　−ジアミノプロパン、オクタアザビシクロ［６．６．６］　アイコサン等が挙げられる。四座配位子としては、ポルフィリン及びその誘導体、フタロシアニン及びその誘導体、テトラアザシクロアルカン等が挙げられる。五座配位子としては、アミノアルキル・テトラアザシクロアルカン等が挙げられる。６座配位子としては、トリ（アミノアルキル）トリアザシクロアルカン、１，１４−ジアミノ−３，６，９，１２−テトラアザテトラデカン等が挙げられる。これらのうち、イソチオシアネート基、イソチオシアネートフェニル基、又はイソチオシアネート低級アルキル基を導入しやすく好ましい配位子として、ターピリジン、ビピリジン、ポルフィリン及びその誘導体（例えば、テトラフェニルポルフィリン）、フタロシアニン及びその誘導体等が挙げられる。
【００１９】
例えば、金属錯体は、一般式（Ｉ）で示される。
（Ｌ２　）ｍ　Ｍ（Ｌ１　）　　　　（Ｉ）
式（Ｉ）中、Ｍは上記の遷移金属を表し、Ｌ１　は置換基：−ＮＣＳ基又は−Ｒ−ＮＣＳ基（ここで、Ｒはアリーレン基又はアルキレン基を表す。）を有する配位子を表し、Ｌ２　は配位子を表し、ｍはＬ２　の数であり０、１、２、３、４又は５を表す。Ｒのアリーレン基としては、フェニレン基が挙げられ、アルキレン基としては、メチレン、エチレン、プロピレン基等の低級アルキレン基が挙げられる。好ましい金属としては、Ｒｕ（ＩＩ）、Ｒｕ（ＩＩＩ）　、Ｃｏ（ＩＩＩ）　、Ｃｒ（ＩＩＩ）　、Ｒｈ（ＩＩＩ）　、Ｉｒ（ＩＩＩ）　、Ｐｄ（ＩＩ）、Ｐｄ（ＩＶ）、Ｐｔ（ＩＩ）、Ｐｔ（ＩＶ）、Ｆｅ（ＩＩ）、Ｎｉ（ＩＩ）、Ｃｕ（ＩＩ）等が挙げられる。
【００２０】
例えば、金属錯体のより好ましいものとして、前記一般式（ＩＩ）で示されるものが挙げられる。一般式（ＩＩ）において、Ｍは上記の遷移金属を表す。好ましい金属としては、Ｒｕ（ＩＩ）、Ｒｕ（ＩＩＩ）　、Ｃｏ（ＩＩＩ）　、Ｃｒ（ＩＩＩ）　、Ｒｈ（ＩＩＩ）　、Ｉｒ（ＩＩＩ）　、Ｐｔ（ＩＶ）、Ｆｅ（ＩＩ）、Ｎｉ（ＩＩ）、Ｃｕ（ＩＩ）等が挙げられる。
【００２１】
本発明のイソチオシアネート基を有する金属錯体は、まず、１つのアミノ基を有する配位子を調製し、次に、この配位子と、必要によりイソチオシアネート基を有しない他の配位子とを、金属に配位させて合成することができる。例えば、前記一般式（ＩＩ）に示される金属錯体の場合、まず、２，２’：６’２’’−ターピリジンの４位にｐ−アミノフェニル基を導入し、４−アミノフェニル−２，２’：６’２’’−ターピリジンを調製する。次に、調製された４−アミノフェニル−２，２’：６’２’’−ターピリジンと、２，２’：６’２’’−ターピリジンとを、金属Ｍに配位させて金属錯体を得る。この金属錯体を単離して、チオホスゲンと反応させて、一般式（ＩＩ）の金属錯体を得る。
【００２２】
本発明の金属錯体の同定は、核磁気共鳴スペクトル、可視紫外吸収スペクトル、質量分析等により行うことができる。
【００２３】
本発明のイソチオシアネート基を有する金属錯体は、タンパク質又はペプチドのアミノ酸配列決定試薬として非常に有用である。すなわち、本発明は、イソチオシアネート基を有する金属錯体を用いて、タンパク質又はペプチドのアミノ酸配列を決定する方法にも関する。
【００２４】
本発明のアミノ酸配列決定方法は、本発明のイソチオシアネート基を有する金属錯体を用いて、エドマン型反応により行われる。以下、本発明のアミノ酸配列決定方法について説明する。次の化３には、金属錯体として、一般式（ＩＩ）の金属錯体（金属Ｍ＝Ｒｕ）を用いた場合の各反応工程が示される。
【００２５】
【化３】
2004043388.tif 000004
【００２６】
（１）イソチオシアネート基とＮ末端アミノ基とのカップリング工程
本発明のイソチオシアネート基を有する金属錯体（ａ）を弱アルカリ性条件下で、アミノ酸配列を決定すべきタンパク質又はペプチド（Ａ）と反応させ、イソチオシアネート基とタンパク質又はペプチド（Ａ）のＮ末端アミノ基とがカップリングした金属錯体チオカルバモイル誘導体（ｂ）を得る。
【００２７】
（２）切断工程
得られた金属錯体チオカルバモイル誘導体（ｂ）に、トリフルオロ酢酸等の弱酸を作用させ、末端のペプチド結合を選択的に切断して、Ｎ末端アミノ酸の２−（金属錯体アミノ）−５−チアゾリノン誘導体（ｃ）と、Ｎ末端アミノ酸がとれたタンパク質又はペプチド（Ｂ）とを生成させる。チアゾリノン誘導体（ｃ）を酢酸エチルなどの有機溶媒で抽出して、タンパク質又はペプチド（Ｂ）と分離する。
【００２８】
（３）転換反応工程
Ｎ末端アミノ酸の２−（金属錯体アミノ）−５−チアゾリノン誘導体（ｃ）に塩酸等の酸を作用させ、Ｎ末端アミノ酸の３−（金属錯体）チオヒダントイン誘導体（ｄ）に変換する。この３−（金属錯体）チオヒダントイン誘導体（ｄ）からＮ末端アミノ酸を同定する。
【００２９】
（４）前記（２）工程で生成したタンパク質又はペプチド（Ｂ）について、前記（１）〜（３）の工程を繰り返し、タンパク質又はペプチド（Ｂ）のＮ末端アミノ酸を同定する。
【００３０】
（５）以上の操作を順次行い、Ｎ末端からタンパク質又はペプチドのアミノ酸配列を決定する。
【００３１】
この方法による最終生成物３−（金属錯体）チオヒダントイン誘導体（ｄ）は安定であり、分析に適している。分析は、高速液体クロマトグラフィー（ＨＰＬＣ）を用いて行うことも可能であるが、質量分析装置を用いて分析することにより、より高感度な分析を行うことができる。金属錯体は特有の同位体分布を示すために、質量分析法での最終生成物の同定が容易である。質量分析装置としては、例えば、ＭＡＬＤＩ−ＴＯＦ　ＭＳ等が挙げられる。
【００３２】
【実施例】
以下、実施例により本発明をさらに具体的に説明するが、本発明はこれら実施例に限定されるものではない。
【００３３】
［実施例１：金属錯体の合成］
この例では、前記一般式（ＩＩ）に示される金属錯体（Ｍ＝Ｒｕ）を以下のようにして合成した。２，２’：６’２’’−ターピリジンをｔｐｙと表記する。
【００３４】
［（ｔｐｙ）ＲｕＣｌ３］を文献（Ｄ．Ｐ．Ｓｕｌｌｉｖａｎ　ｅｔ　ａｌ．，　Ｉｎｏｒｇ．　Ｃｈｅｍ．，　１９８０，　１９，　１４０４−１４０７）の方法により合成した。４’−（４−アミノフェニル）−２，２’：６’２’’−ターピリジン（ｔｐｙ−Ｃ６Ｈ４ＮＨ２　）を文献（Ｇ．Ｄ．Ｓｔｏｒｒｉｅｒ　ｅｔ　ａｌ．，　Ｊ．　Ｃｈｅｍ．　Ｓｏｃ．，　Ｄａｌｔｏｎ　Ｔｒａｎｓ．，　１９９７，　３０１１−３０２８）の方法により調製した。
【００３５】
［（ｔｐｙ）ＲｕＣｌ３］　１３０ｍｇ（０．３０ｍｍｏｌ）、ｔｐｙ−Ｃ６Ｈ４−ＮＨ２　９６ｍｇ（０．３０ｍｍｏｌ）、及びトリエチルアミン１．０ｍＬ（７．２ｍｍｏｌ）をエタノール５０ｍＬ中で、アルゴン雰囲気下、１日間還流した。得られた反応液を減圧濃縮・乾固した。これにメタノールを注ぎ、メタノール可溶部を集め、セファデックスＳｅｐｈａｄｅｘ　ＬＨ−２０　　のカラムを用いて精製した。精製物を一旦乾固し、水に溶解させ、その後、この水溶液にＮＨ４　ＰＦ６　水溶液を加え、［（ｔｐｙ）Ｒｕ（ｔｐｙ−Ｃ６Ｈ４−ＮＨ２）］（ＰＦ６）２　（１３０ｍｇ、収率４６％）を得た。
【００３６】
［（ｔｐｙ）Ｒｕ（ｔｐｙ−Ｃ６Ｈ４−ＮＨ２）］（ＰＦ６）２　　６０ｍｇ（０．０６３ｍｍｏｌ）をアセトニトリル２ｍＬに溶解し、この溶液にチオホスゲン０．１ｍＬ（１ｍｍｏｌ）を加え、室温で３０分間攪拌した。溶媒を留去した後、アセトニトリル／エーテルにより沈殿を生じさせ、［（ｔｐｙ）Ｒｕ（ｔｐｙ−Ｃ６Ｈ４−ＮＣＳ）］（ＰＦ６）２　（５０ｍｇ、収率８０％）を得た。
【００３７】
［（ｔｐｙ）Ｒｕ（ｔｐｙ−Ｃ６Ｈ４−ＮＣＳ）］（ＰＦ６）２　の同定データ：
　１Ｈ　ＮＭＲ（３０３Ｋ、ｄｉｍｅｔｈｙｌ　ｓｕｌｆｏｘｉｄｅ−ｄ６　）：δ７．２６（ｍ，４Ｈ，Ｈ５Ａ，Ｈ５Ｂ），７．４３（ｄ，２Ｈ，Ｊ＝４．８Ｈｚ，Ｈ６Ｂ），７．５５（ｄ，２Ｈ，Ｊ＝４．８Ｈｚ，Ｈ６Ａ），７．８６（ｄ，２Ｈ，Ｊ＝８．４Ｈｚ，Ｈｍ　），８．０２（ｔｄ，２Ｈ，Ｊ＝８．０，１．２Ｈｚ，Ｈ４Ｂ　），８．０７（ｔｄ，２Ｈ，Ｊ＝８．０，１．２Ｈｚ，Ｈ４Ａ　），８．５４（ｍ，３Ｈ，ＨＯ　，Ｈ４’Ｂ　），８．８３（ｄ，２Ｈ，Ｊ＝８．０Ｈｚ，Ｈ３Ｂ），９．０９（ｄ，４Ｈ，Ｊ＝８．０Ｈｚ，Ｈ３Ａ，Ｈ３’Ｂ　），９．５０（ｓ，２Ｈ，Ｈ３’Ａ　），
ＥＳＩ−ＭＳ　ｍ／ｚ　ｆｏｒ　Ｃ３７Ｈ２５Ｎ７　ＲｕＳ　Ｍ２＋　ｃａｌｃｄ．　３５０．４，ｆｏｕｎｄ．３５０．６，　［Ｍ＋ＰＦ６］＋　　ｃａｌｃｄ．　８４５．７，ｆｏｕｎｄ．８４５．８
【００３８】
［実施例２：アミノ酸配列決定］
この例では、実施例１で合成されたＲｕ錯体［（ｔｐｙ）Ｒｕ（ｔｐｙ−Ｃ６Ｈ４−ＮＣＳ）］（ＰＦ６）２　を用いて、アミノ酸配列決定を行った。
【００３９】
プロテインシーケンサを用い、反応試薬として、従来のフェニルイソチオシアネート（ＰＩＴＣ）の代わりに上記Ｒｕ錯体のアセトニトリル飽和溶液を用い、アポミオグロビン１ｎｍｏｌを反応させた。この時、洗浄・抽出溶媒として、従来のｎ−ヘプタンの代わりにアセトニトリルを、塩化ｎ−ブチルの代わりにアセトニトリルを用いた。その他は、従来のプロテインシーケンサの試薬を使用した。反応生成物の全量をフラクションコレクターに回収し、乾固し、その後、再溶解し、ＭＡＬＤＩ−ＴＯＦ　ＭＳで分析した。
【００４０】
図１に得られたＭＡＬＤＩ−ＴＯＦ　ＭＳのＮ末端から２残基目の同定チャートを示す。この時、回収量を１００％と仮定した場合、１００ｆｍｏｌまでのＬｅｕを同定することができた。
【００４１】
【発明の効果】
本発明によれば、タンパク質又はペプチドのアミノ酸配列決定試薬として有用な新規なイソチオシアネート基を有する金属錯体が提供され、新規なイソチオシアネート基を有する金属錯体を含むタンパク質又はペプチドのアミノ酸配列決定試薬が提供される。
【００４２】
さらに、本発明によれば、新規なイソチオシアネート基を有する金属錯体を用いるタンパク質又はペプチドのアミノ酸配列決定方法が提供される。本発明のアミノ酸配列決定方法は、分析すべき最終生成物が安定で且つ高い検出感度が得られる点で非常に優れている。
【図面の簡単な説明】
【図１】実施例で得られたＭＡＬＤＩ−ＴＯＦ　ＭＳの同定チャートである。
【図１】
2004043388.tif 000006